(57)【要約】      （修正有）【課題】手提げ用のハンドルを鞄の上部に備えたビジネスバッグや学生鞄、手提げ用のハンドルと牽引用のハンドルを鞄の上部に備えたキャスター付き鞄等に使用しても、これらの鞄のハンドルが防水カバーによって被われてしまうことはなく、鞄を手に提げたり、鞄を牽引するのにまったく支障をきたさない鞄用防水カバーを提供する。【解決手段】鞄本体１の少なくとも前部、上部、両側部を被うカバー本体４に、開閉自在としたカバー部８を有する鞄のハンドルＨの突出孔を設けると共に、そのカバー部に鞄のハンドルＨの立上げ部Ｈ2 の通孔１０を設けたものとしている。【選択図】図３
0003137314.tif 000002
【実用新案登録請求の範囲】
【請求項１】
鞄本体（１）の少なくとも前部（１ａ）、上部（１ｂ）、両側部（１ｃ、１ｃ）を被うカバー本体（４）に、開閉自在としたカバー部（８）を有する鞄のハンドル（Ｈ）の突出孔（９）を設けると共に、そのカバー部（８）に鞄のハンドル（Ｈ）の立上げ部（Ｈ2 ）の通孔（１０）を設けたことを特徴とする鞄用防水カバー。
【請求項２】
前記カバー部（８）の周囲に沿って面接着ファスナー（Ｆ）の一方の接着部（Ｆ1 ）を配したものとし、これに着脱自在とした面接着ファスナー（Ｆ）の他方の接着部（Ｆ2 ）を前記突出孔（９）の近傍に沿って配したものとしたことを特徴とする請求項１記載の鞄用防水カバー。
【請求項３】
前記通孔（１０）に、ハンドル（Ｈ）の立上げ部（Ｈ2 ）を通すための切込み（１１）をカバー部（８）の周辺から入れたものとすると共に、開閉蓋（１２）を設けたものとしたことを特徴とする請求項２記載の鞄用防水カバー。
【請求項４】
前記開閉蓋（１２）を、カバー部（８）に切込み（１３）を入れて形成したものとしたことを特徴とする請求項３記載の鞄用防水カバー。
【請求項５】
前記切込み（１３）を、前記切込み（１１）に連続した略十字状の切込みとしたことを特徴とする請求項４記載の鞄用防水カバー。
【請求項６】
前記切込み（１３）を、前記切込み（１１）に連続した略Ｈ字状の切込みとしたことを特徴とする請求項４記載の鞄用防水カバー。
【請求項７】
前記カバー本体（４）の周縁に伸縮体（５）を取り付け、この伸縮体（５）が鞄本体（１）の背部（１ｅ）の全周または周囲の一部を補強しているパイピング（Ｐ）を乗り越え、カバー本体（４）を鞄本体（１）の背部（１ｅ）にかかった状態にして被せるようにしたことを特徴とする請求項１〜６のいずれかに記載の鞄用防水カバー。
【考案の詳細な説明】
【技術分野】
【０００１】
この考案は、手提げ用のハンドルや、牽引用のハンドルを備えた鞄に使用されるのに適した防水カバーに関するものである。
【背景技術】
【０００２】
従来の鞄用防水カバーとしては、例えば図１３、１４に示したような、リュクサックやディパック等の背負い鞄に使用されるものが存在する。
【０００３】
図に示した従来の鞄用防水カバーは、キャップ状に形成し、鞄本体２１の少なくと前部２１ａ、上部２１ｂ、両側部２１ｃ、２１ｃ、底部２１ｄを被うことができるようにしており、またカバー本体２２の周縁にゴム紐などの伸縮体２３を取り付けて、このカバー本体２２の周縁を伸縮自在とすることにより、鞄本体２１を被ったときに外れないようにしている。さらに、前記カバー本体２２は、接続ベルト２４を介して鞄本体２１のカバー収納部２５の内部に連結された状態で、このカバー収納部２５の内部に収納されている（特許文献１）。
【０００４】
このように構成した従来の鞄用防水カバーは、カバー収納部２５からカバー本体２２を引き出して広げながら、図１５に示したように、鞄本体２１の前部２１ａから上部２１ｂ、両側部２１ｃ、２１ｃ、底部２１ｄにかかるように被せる。そして、このカバー本体２２を鞄本体２１の背部２１ｅ側にずらして行けば、図１６に示したように、カバー本体２２を背部２１ｅに少しかかった状態にして被せることができる。
【特許文献１】登録実用新案第３１１０８２１号公報（第４頁、図１〜５）
【考案の開示】
【考案が解決しようとする課題】
【０００５】
ところで、上記従来の鞄用防水カバーでは、リュクサックやディパック等の背負い鞄に使用した状態において、図１６に示したように、鞄本体２１の背部２１ｅに取り付けた背負いベルト２６が被われることはなく、使用者が鞄を背負う場合に支障をきたすことはない。
【０００６】
さらに、上記従来の鞄用防水カバーでは、鞄本体２１の背部２１ｅの上端に取り付けた提げ手２７も被われることがないので、使用者がこの提げ手２７を掴んで、鞄を手に提げる場合にも支障をきたすことはない。
【０００７】
しかしながら、上記したような従来の鞄用防水カバーでは、手提げ用のハンドルを備えたビジネスバッグや学生鞄、手提げ用のハンドルと牽引用のハンドルを備えたキャスター付き鞄等に使用すると、これらの鞄にはハンドルが鞄本体の上部に取り付けられているため、そのハンドルが防水カバーによって被われてしまい、鞄を手に提げたり、鞄を牽引することができなくなり、その鞄を使用するのに支障をきたすという課題を有していた。
【０００８】
そこで、この考案は、上記従来の鞄用防水カバーの課題を解決するものであり、手提げ用のハンドルを鞄の上部に備えたビジネスバッグや学生鞄、手提げ用のハンドルと牽引用のハンドルを鞄の上部に備えたキャスター付き鞄等に使用しても、これらの鞄のハンドルが防水カバーによって被われてしまうことはなく、鞄を手に提げたり、鞄を牽引するのにまったく支障をきたさない鞄用防水カバーを提供することを目的としてなされたものである。
【課題を解決するための手段】
【０００９】
そのため、この考案の鞄用防水カバーは、鞄本体１の少なくとも前部１ａ、上部１ｂ、両側部１ｃ、１ｃを被うカバー本体４に、開閉自在としたカバー部８を有する鞄のハンドルＨの突出孔９を設けると共に、そのカバー部８に鞄のハンドルＨの立上げ部Ｈ2 の通孔１０を設けたものとしている。
【００１０】
そして、この考案の鞄用防水カバーは、前記カバー部８の周囲に沿って面接着ファスナーＦの一方の接着部Ｆ1 を配したものとし、これに着脱自在とした面接着ファスナーＦの他方の接着部Ｆ2 を前記突出孔９の近傍に沿って配したものとしている。
【００１１】
さらに、この考案の鞄用防水カバーは、前記通孔１０に、ハンドルＨの立上げ部Ｈ2 を通すための切込み１１をカバー部８の周辺から入れたものとすると共に、開閉蓋１２を設けたものとしている。
【００１２】
また、この考案の鞄用防水カバーは、前記開閉蓋１２を、カバー部８に切込み１３を入れて形成したものとしている。
【００１３】
さらに、この考案の鞄用防水カバーは、前記切込み１３を、前記切込み１１に連続した略十字状の切込みとしている。
【００１４】
また、この考案の鞄用防水カバーは、前記切込み１３を、前記切込み１１に連続した略Ｈ字状の切込みとしている。
【００１５】
さらに、この考案の鞄用防水カバーは、前記カバー本体４の周縁に伸縮体５を取り付け、この伸縮体５が鞄本体１の背部１ｅの全周または周囲の一部を補強しているパイピングＰを乗り越え、カバー本体４を鞄本体１の背部１ｅにかかった状態にして被せるようにしている。
【考案の効果】
【００１６】
この考案の鞄用防水カバーは、以上に述べたように構成されているので、手提げ用のハンドルを鞄の上部に備えたビジネスバッグや学生鞄、手提げ用のハンドルと牽引用のハンドルを鞄の上部に備えたキャスター付き鞄等に使用しても、これらの鞄のハンドルが防水カバーによって被われてしまうことはなく、鞄を手に提げたり、鞄を牽引するのにまったく支障をきたさないものとなった。
【考案を実施するための最良の形態】
【００１７】
以下、この考案の鞄用防水カバーの実施の形態を、図面に基づいて詳細に説明する。
【００１８】
図１〜６に示したこの考案の鞄用防水カバーは、手提げ用のハンドルを鞄の上部に備えたビジネスバッグに用いた形態を示しており、図７〜１２に示したこの考案の鞄用防水カバーは、手提げ用のハンドルおよび牽引用のハンドルを鞄の上部に備えたキャスター付き鞄に用いた形態を示している。
【００１９】
図１〜６に示したビジネスバッグは、鞄本体１の前部１ａや背部１ｅに必要に応じて一個または複数個のポケット２を設けたものとしている。鞄本体１は、上部１ｂから両側部１ｃ、１ｃにかけてスライドファスナーｆが設けられており、ポケット２は、開口部に必要に応じてスライドファスナーｆが設けられており、それぞれスライダーｓの操作により開閉自在としている。さらに、鞄本体１は、前部１ａや背部１ｅの全周または周囲の一部がパイピングＰによって補強されている。そして、鞄本体１の上部１ｂの略中央には、手提げ用のハンドルＨを備えたものとしている。ハンドルＨは、皮革等で作製された厚肉の提げ部Ｈ1 と、布地等で作製された薄肉の立上げ部Ｈ2 とにより構成されている。
【００２０】
図７〜１２に示したキャスター付き鞄は、鞄本体１の前部１ａや背部１ｅに必要に応じて一個または複数個のポケット２を設けたものとしている。鞄本体１は、上部１ｂから両側部１ｃ、１ｃにかけてスライドファスナーｆが設けられており、ポケット２は、開口部に必要に応じてスライドファスナーｆが設けられており、それぞれスライダーｓの操作により開閉自在としている。そして、鞄本体１の上部１ｂの略中央には、手提げ用のハンドルＨを備え、鞄本体１の上部１ｂの略中央の後方寄りには、牽引用のハンドルＨを備えたものとしている。手提げ用のハンドルＨは、皮革等で作製された厚肉の提げ部Ｈ1 と、布地等で作製された薄肉の立上げ部Ｈ2 とにより構成されている。牽引用のハンドルＨは、合成樹脂等で作製された厚肉の提げ部Ｈ1 と、伸縮自在の金属パイプ等で作製された厚肉の立上げ部Ｈ2 とにより構成されている。
【００２１】
そして、この考案の鞄用防水カバーは、何れの実施の形態においても、前記鞄本体１の前部１ａの上部位置に設けられたカバー収納部３内に収納されている。図示した鞄用防水カバーは、カバー本体４をキャップ状に形成し、鞄本体１の前部１ａ、上部１ｂ、両側部１ｃ、１ｃ、底部１ｄを被うことができるようにしており、必要に応じて背部１ｅも被うことができるようにすることができるが、鞄本体１の少なくと前部１ａ、上部１ｂ、両側部１ｃ、１ｃを被うことができるようにすればよい。また、カバー本体４の周縁には、ゴム紐などの伸縮体５を取り付けて、このカバー本体４の周縁を伸縮自在とすることにより、鞄本体１に被せたときに外れないようにしている。さらに、前記カバー本体４は、接続ベルト６を介して鞄本体１のカバー収納部３の内部に連結された状態で、このカバー収納部３の内部に収納されたものとしている。接続ベルト６は、図示したようなバックルや、図示していないがボタン・ホックなどの連結具７が一端に連結されており、この接続ベルト６の一端をカバー収納部３の内部に前記連結具７によって取り付け、接続ベルト６の他端を防水カバー４の周縁に縫着して取り付けている。したがって、前記防水カバー４が雨で濡れたり、汚れたりした場合には、カバー収納部３から取り出し、連結具７による連結を外せば、鞄本体１とは切り離すことができるので、この防水カバー４を干して乾かしたり、洗濯して汚れを落とすことができる。また、前記防水カバー４の表部には、反射テープや蓄光テープなどの夜光テープ（図示せず）を貼り付け、夜間時などの安全性に考慮したものとすることもできる。なお、前記カバー収納部３は、鞄本体１の前部１ａから鞄本体１内に入り込むようにして設けたものとしており、その開口部に設けられたスライドファスナーｆのスライダーｓの操作により開閉自在としているが、鞄本体１の前部１ａに限らず、鞄本体１の他の個所に設けてもよいことは言うまでもない。
【００２２】
さらに、この考案の鞄用防水カバーは、鞄本体１にカバー本体４を被せたとき、その鞄本体１のハンドルＨに位置する部分に、開閉自在としたカバー部８を有するハンドルＨの突出孔９を設けると共に、そのカバー部８にはハンドルＨの立上げ部Ｈ1 の通孔１０を設けたものとしている。
【００２３】
前記突出孔９は、図４、１０に示したように、ハンドルＨが突出可能とした略長方形状に形成され、前記カバー部８は、突出孔９を被うようにこの突出孔９より大きい略長方形状に形成されている。そして、図示したものは、カバー部８の長辺側の一辺は、突出孔９の長辺側の一辺の近傍に沿ってカバー本体４に縫着され、さらにカバー部８の他の三辺の周囲に沿って面接着ファスナーＦの一方の接着部Ｆ1 を配したものとし、これに着脱自在とした面接着ファスナーＦの他方の接着部Ｆ2 を前記突出孔９の他の三辺の近傍に沿ってカバー本体４に配したものとしている。なお、カバー部８は、長辺側の一辺を前記カバー本体４に縫着することなく、カバー部８の四辺すべての周囲に沿って面接着ファスナーＦの一方の接着部Ｆ1 を配したものとし、これに着脱自在とした面接着ファスナーＦの他方の接着部Ｆ2 を前記突出孔９の四辺すべての近傍に沿ってカバー本体４に配したものとしてもよい。
【００２４】
前記通孔１０は、図３、９に示したように、ハンドルＨの立上げ部Ｈ1 を通すための切込み１１をカバー部８の周辺、例えば短辺側から入れたものとしており、またハンドルＨの立上げ部Ｈ1 を通したときに隙間ができないように、その立上げ部Ｈ1 の断面形状に対応した大きさにするのが好ましい。さらに、この通孔１０は、開口したままのものとしてもよいが、図示したものは、開閉蓋１２を設けたものとし、開閉できるようにしている。この開閉蓋１２は、例えば図５に示したように、前記切込み１１に連続した略十字状の切込み１３をカバー部８に入れて形成したものとしたり、例えば図１１に示したように、前記切込み１１に連続した略Ｈ字状の切込み１３をカバー部８に入れて形成したものとすることができる。このようにすると、ハンドルＨの立上げ部Ｈ1 を通したときに、図６、１２に示したように、開閉蓋１２が開き、通孔１０が開口されることになる。
【００２５】
以上のように構成したこの考案の鞄用防水カバーは、雨が降っていないときには、図１、７に示したように、カバー収納部３にカバー本体４を収納したままにしておき、鞄は従来と同様にして使用する。
【００２６】
そして、この考案の鞄用防水カバーは、雨が降っているときには、カバー収納部３からカバー本体４を取り出して、このカバー本体４を鞄本体１に被せる。
【００２７】
その際、この考案の鞄用防水カバーでは、カバー収納部３のスライドファスナーｆをスライダーｓによって開き、図２、８に示したように、カバー収納部３からカバー本体４を引き出して広げながら、このカバー本体４に設けた突出孔９の位置を鞄本体１のハンドルＨの位置に合わせるようにする。そして、鞄本体１の前面１ａから上部１ｂ、両側部１ｃ、１ｃ、底部１ｄにかかるように被せる。さらに、このカバー本体４を鞄本体１の背部１ｅ側にずらして行けば、カバー本体４の周縁に取り付けた伸縮体５が、鞄本体１の背部１ｅの全周または周囲の一部を補強しているパイピングＰを乗り越え、カバー本体４を背部１ｅにかかった状態にして被せることができる。このような状態でカバー本体４を鞄本体１に被せると、カバー本体４の内側面がパイピングＰに引っ掛かって、カバー本体４が鞄本体１から外れにくいものとなる。
【００２８】
そこで、前記突出孔９の近傍に沿って配した面接着ファスナーＦの接着部Ｆ2 と、カバー部８の周囲に沿って配した面接着ファスナーＦの接着部Ｆ1 との接着を剥がして、カバー部８を開くと、ハンドルＨがその突出孔９から突出する。そして、このハンドルＨを突出させたままの状態でカバー部８を閉じ、前記接着部Ｆ1 と接着部Ｆ2 とを接着させておく。このとき、ハンドルＨの立上げ部Ｈ2 は、切込み１１から切込み１３に入り、開閉蓋１２が開き、通孔１０が開口されて、図３、９に示したように、この通孔１０に入り込んだ状態となる。
【００２９】
したがって、鞄本体１のハンドルＨは、カバー本体４に被われることなく、突出孔９から突出したままの状態になっているので、鞄を手に提げたり、鞄を牽引するのにまったく支障をきたさないものとなる。
【００３０】
なお、図７〜１２に示したキャスター付き鞄では、牽引用のハンドルＨのみをカバー本体４に被われることのないものとしたが、カバー本体４の突出孔９の位置や個数を調節することにより、この牽引用のハンドルＨと手提げ用のハンドルＨの両方をカバー本体４に被われることのないものとしても、手提げ用のハンドルＨのみをカバー本体４に被われることのないものとしてもよいのは言うまでもない。
【図面の簡単な説明】
【００３１】
【図１】この考案の鞄用防水カバーの一実施形態を、ビジネスバッグのカバー収納部に収納した状態を示す説明図である。
【図２】図１に示すこの考案の鞄用防水カバーをビジネスバッグのカバー収納部から取り出した状態を示す斜視図である。
【図３】図１に示すこの考案の鞄用防水カバーをビジネスバッグに被せた状態を示す斜視図である。
【図４】図１に示すこの考案の鞄用防水カバーの突出孔に設けたカバー部を開けた状態を示す説明図である。
【図５】図１に示すこの考案の鞄用防水カバーの突出孔に設けたカバー部を閉じた状態にし、そのカバー部の通孔に設けた開閉蓋を閉じた状態を示す説明図である。
【図６】図１に示すこの考案の鞄用防水カバーの突出孔に設けたカバー部を閉じた状態にし、そのカバー部の通孔に設けた開閉蓋を開けた状態を示す説明図である。
【図７】この考案の鞄用防水カバーの他の実施形態を、キャスター付き鞄のカバー収納部に収納した状態を示す説明図である。
【図８】図７に示すこの考案の鞄用防水カバーをキャスター付き鞄のカバー収納部から取り出した状態を示す斜視図である。
【図９】図７に示すこの考案の鞄用防水カバーをキャスター付き鞄に被せた状態を示す斜視図である。
【図１０】図７に示すこの考案の鞄用防水カバーの突出孔に設けたカバー部を開けた状態を示す説明図である。
【図１１】図７に示すこの考案の鞄用防水カバーの突出孔に設けたカバー部を閉じた状態にし、そのカバー部の通孔に設けた開閉蓋を閉じた状態を示す説明図である。
【図１２】図７に示すこの考案の鞄用防水カバーの突出孔に設けたカバー部を閉じた状態にし、そのカバー部の通孔に設けた開閉蓋を開けた状態を示す説明図である。
【図１３】従来の鞄用防水カバーを背負い鞄のカバー収納部に収納した状態を示す説明図である。
【図１４】従来の鞄用防水カバーを背負い鞄のカバー収納部から取り出した状態を示す斜視図である。
【図１５】従来の鞄用防水カバーを背負い鞄に被せる途中の状態を示す斜視図である。
【図１６】従来の鞄用防水カバーを背負い鞄に被せ終わった状態を示す斜視図である。
【符号の説明】
【００３２】
１  鞄本体
１ａ  前部
１ｂ  上部
１ｃ  側部
１ｅ  背部
４  カバー本体
５  伸縮体
８  カバー部
９  突出孔
１０  通孔
１１  切込み
１２  開閉蓋
１３  切込み
Ｆ  面接着ファスナー
Ｆ1 接着部
Ｆ2 接着部
Ｈ  ハンドル
Ｈ2 立上げ部
Ｐ  パイピング
【図１】
0003137314.tif 000003
【図２】
0003137314.tif 000004
【図３】
0003137314.tif 000005
【図４】
0003137314.tif 000006
【図５】
0003137314.tif 000007
【図６】
0003137314.tif 000008
【図７】
0003137314.tif 000009
【図８】
0003137314.tif 000010
【図９】
0003137314.tif 000011
【図１０】
0003137314.tif 000012
【図１１】
0003137314.tif 000013
【図１２】
0003137314.tif 000014
【図１３】
0003137314.tif 000015
【図１４】
0003137314.tif 000016
【図１５】
0003137314.tif 000017
【図１６】
0003137314.tif 000018